(57)【要約】【課題】  バーコード等のデータ固有情報を読み取って画像や音声等のデータを出力させる資料提示装置において、１つのデータ固有情報で２つあるいはそれ以上の数のデータを同時に出力させることができるようにする。【解決手段】  画像や音声等の複数のデータを１組とし、この１組のデータに対して、１つのバーコード（データ固有情報）を割り当て、制御部に登録する。例えば、互いに関連する主データ（主画像）と副データ（副画像）とを登録するとともに、これら２つのデータに関連付けて１つのバーコードＢ１を登録しておく。バーコードシート４０に保持させたバーコードＢ１を、撮像部１３を介して読み取らせることにより、バーコードＢ１に関連付けられた主画像を液晶プロジェクタ２０からスクリーンに投影するとともに、副画像を付属のサブモニタ１５に表示する。【選択図】      図１
2005167784.tif 000002
【特許請求の範囲】
【請求項１】
資料が載置される資料載置台と、
この資料載置台に載置される資料を撮影する撮像部と、
この撮像部による撮影画像を画像表示装置に出力する画像出力部と、
関連する複数のデータが１組として登録されるとともに、この１組のデータに関連付けられた１つのデータ固有情報が登録される登録部と、
前記１組のデータ群の各データごとに設けられ、それらデータを出力する複数のデータ出力手段と、
前記データ固有情報を読み取る読取手段と、
この読取手段が読み取った前記データ固有情報に関連付けられた１組のデータ群の各データを、前記データ出力手段にそれぞれ供給する制御部と
を備えることを特徴とする資料提示装置。
【請求項２】
前記データは画像あるいは音声であり、画像の場合は、該画像が前記撮像部を用いるか、あるいは外部から入力されて前記登録部に登録され、音声の場合は、前記データ出力手段が音声発生手段とされ、かつ、該音声を前記登録部に入力するための音声入力手段を備えていることを特徴とする請求項１に記載の資料提示装置。
【請求項３】
前記データが画像であり、前記データ出力手段として、前記画像表示装置と、他の画像表示装置が用いられるとともに、これら表示装置に表示される画像を交互に切り替える画像切替手段を備えることを特徴とする請求項１または２に記載の資料提示装置。
【請求項４】
前記データ固有情報を、バーコード、二次元バーコード、文字、記号等の情報形態で保持し、前記読取手段として前記撮像部を用いて該データ固有情報を読み取ることを特徴とする請求項１〜３のいずれかに記載の資料提示装置。
【請求項５】
前記情報形態を付加した原稿を、前記読取手段が情報形態を読み取り可能とする定位置にセットするための位置決め手段を備えていることを特徴とする請求項４に記載の資料提示装置。
【請求項６】
前記データ固有情報を無線周波識別子に保持し、このデータ固有情報を電波信号で通信する機能を備えたことを特徴とする請求項１〜３のいずれかに記載の資料提示装置。
【請求項７】
前記データとして前記撮像部により撮影した画像と、この画像に応じて設定した前記データ固有情報とを関連付けて前記登録手段に登録する機能を有していることを特徴とする請求項４または６に記載の資料提示装置。
【発明の詳細な説明】
【技術分野】
【０００１】
本発明は、資料を撮影し、その撮影画像をＣＲＴや液晶ディスプレイ等のモニタやスクリーン等に表示する資料提示装置に関する。
【背景技術】
【０００２】
プレゼンテーションにおいて資料画像をスクリーン等に表示させる装置として、資料提示装置が提供されている。この資料提示装置は、資料載置台に置いた資料を上方に配置したカメラで撮影するもので、撮影画像は、例えばプロジェクタからスクリーンに投影される。ところで、近年のプレゼンテーションでは、画像編集ソフトの普及に伴い、パソコンで表示される画像を資料画像として表示させる場合が多くなってきている。そこで、資料提示装置の中にも、単に撮影画像を出力するのみならず、パソコン等の外部装置の画像が入力され、撮影画像と切り替えて外部入力画像も出力できるモデルも提供されている。
【０００３】
ところで、上記画像編集ソフトの機能として、多数の画像を順次表示させていくものがあり、その操作は、資料の用紙を１枚１枚差し替えていく場合と比べると、マウスやキーボードのワンタッチ操作か、あるいはノータッチの自動連続ページ送りが可能であることから、便利で多用されている。しかしながら、例えば全ての画像を表示し終わった後に、途中の１つの画像（ページ）に戻して表示させたい場合には、その検索操作が煩わしいという欠点があった。また、パソコンのオペレータをプレゼンターとは別に配備させた場合には、発表内容と表示画像が食い違うことが起こりやすかった。
【０００４】
そこで、このような問題を解決するために、本出願人は、特願２００２−３０６６４５で、画像を速やかに、かつ確実に出力させることができる資料提示装置を提案した。この装置は、１つの画像に対して１つのバーコードをデータ固有情報として関連付け、両者を登録し、バーコードを資料提示装置のカメラで撮影して読み取ることにより、そのバーコードに該当する、すなわち関連付けられた画像を表示するといったもので、バーコードを読み取らせるだけで、所望の画像が速やかに表示される。なお、この出願では、出力するデータとしては画像の他に音声も対象にしている。
【発明の開示】
【発明が解決しようとする課題】
【０００５】
ところで、プレゼンテーションの内容によっては、２つ、あるいはそれ以上の数のデータを出力させたい場合がある。例えば、画像の表示とともに音声を発生させたり、あるいは、スクリーンに表示させた画像を、パソコンの画面に連動して表示させた説明メモを見ながら説明する場合などが考えられる。しかしながら、本出願人が提案した上記のバーコードによる画像出力方式では、１つのバーコードに対して１つのデータ（画像または音声）しか出力されないので、２つ以上のデータを出力させることはできなかった。
【０００６】
よって本発明は、１つのデータ固有情報から複数の異種データを同時に出力させることができる資料提示装置を提供することを目的としている。
【課題を解決するための手段】
【０００７】
本発明は、資料が載置される資料載置台と、この資料載置台に載置される資料を撮影する撮像部と、この撮像部による撮影画像を画像表示装置に出力する画像出力部と、関連する複数のデータが１組として登録されるとともに、この１組のデータに関連付けられた１つのデータ固有情報が登録される登録部と、１組のデータ群の各データごとに設けられ、それらデータを出力する複数のデータ出力手段と、データ固有情報を読み取る読取手段と、この読取手段が読み取ったデータ固有情報に関連付けられた１組のデータ群の各データを、データ出力手段にそれぞれ供給する制御部とを備えることを特徴としている。
【０００８】
本発明におけるデータとしては、画像や音声が挙げられる。データが画像の場合、その画像を、本装置の撮像部を用いて登録部に登録することができる。また、外部から入力される画像を登録してもよい。また、複数の画像を出力することになるが、画像出力手段としては、本装置の画像出力部に接続される上記画像表示装置と、他の画像表示装置が用いられる。この場合、画像切替手段によって、画像表示装置と他の画像表示装置に表示される画像を交互に切り替えるように構成することができる。データが音声の場合、出力手段はスピーカ等の音声発生手段とされ、音声を登録部に入力するためのマイク等の音声入力手段を具備させてもよい。
【０００９】
本発明のデータ固有情報としては、無線周波識別子（ＲＦＩＤ：Radio Frequency Identifier）等の電波信号を用いることができる。また、簡便なデータ固有情報として、バーコード、二次元バーコード、文字、記号等の情報形態を用いることができる。このようなバーコード等の情報形態をデータ固有情報とした場合の読取手段は、バーコードの場合であれば例えばバーコードリーダーが用いられ、他には、本装置の撮像部を利用することができる。
【００１０】
また、本発明では、情報形態を付加した原稿を、読取手段が情報形態を読み取り可能とする定位置にセットするための位置決め手段を備えている形態を含む。さらに本発明では、制御手段が、撮像部で撮像した画像およびこの画像に応じて設定したデータ固有情報を関連付けて登録手段に登録する機能を有している形態を含む。
【発明の効果】
【００１１】
本発明によれば、データ固有情報を読取手段に読み取らせると、制御部がデータ固有情報に該当する１組のデータ群を検索し、このデータ群中の各データを、それぞれデータ出力手段に供給する。したがって、単にデータ固有情報を読取手段に読み取らせるだけで、複数の異種データを自動的に、かつ同時に出力させることができる。
【発明を実施するための最良の形態】
【００１２】
以下、図１〜図９を参照して本発明の実施の形態を説明する。
図１は、実施形態の資料提示装置１０を用いたプレゼンテーションシステムの全体を概略的に示すブロック図、図２はその具体的イメージを示している。資料提示装置１０は、図２に示すように、資料載置台１１と、この資料載置台１１にアーム１２を介して支持された撮像部１３とを備えている。
【００１３】
撮像部１３は、カメラおよびズームレンズを備えるもので、資料載置台１１上にセットされた原稿等の資料を撮影する。撮像部１３による撮影画像は、資料載置台１１に内蔵されたデータ切替部１４に供給される（図１参照）。撮像部１３には、赤外光のみを撮影可能とする光学フィルタ１３ａが設けられている。この、光学フィルタ１３ａは、カメラの撮影光路に対して挿脱自在に設けられており、撮影光路中に挿入した状態と外した状態のいずれかに、手動あるいは自動制御によって切り替えられる。また、資料載置台１１には、図示せぬスクリーンに画像を投影する液晶プロジェクタ２０と、サブモニタ１５、および外部装置であるパソコン３０が、それぞれ接続されている。サブモニタ１５は、例えばプレゼンターが容易に持ち運びできる小型の液晶ディスプレイ型のモニタであり、このサブモニタ１５には、イヤフォン１６が接続される。
【００１４】
図１に示すように、資料提示装置１０は、制御部１７ａおよび記憶部１７ｂを有している。撮像部１３で撮影された画像は制御部１７ａに取り込まれて処理され、記憶部１７ｂに登録される。また、資料提示装置１０は、例えば資料載置台１１に設けるなどされたマイク１８を有しており、マイク１８に入力された音声は、制御部１７ａに取り込まれて処理され、記憶部１７ｂに登録される。また、パソコン３０が保有する画像や音声も、資料提示装置１０の制御部１７ａに取り込まれて処理され、それぞれ記憶部１７ｂに登録可能とされている。記憶部１７ｂに登録された画像は、制御部１７ａによって抽出され、データ切替部１４に供給される。データ切替部１４では、制御部１７ａからの指令にしたがって、供給された画像を、液晶プロジェクタ２０やサブモニタ１５に出力する。
【００１５】
さて、本システムでは、撮像部１３でバーコードを撮影し、その画像を取り込んだ制御部１７ａが、バーコードをデータ固有情報として取得し、そのデータ固有情報に関連付けられた１組のデータ群を記憶部１７ｂから検索し、検索した１組のデータ群中の各データを、登録したカテゴリ（例えば主データか副データ）に分けて同時に出力させることができる。画像の出力は、液晶プロジェクタ２０からの画像の投影、あるいはサブモニタ１５での画像の表示であり、音声の出力は、スピーカ１９やイヤフォン１６からの音声の発生である。以下に、本実施形態の構成によってプレゼンテーションを行う操作手順の例を、データ登録と実際のプレゼンテーションに分けて説明する。
【００１６】
Ａ．データ登録
主データと副データ（データは画像または音声）を１組として用意し、複数組のデータ群を、それぞれ異なるバーコードと関連付けて記憶部１７ｂに登録する。図３は登録用のバーコードシート４０を示しており、このバーコードシート４０には、異なるパターンの複数のバーコードＢ１，Ｂ２，Ｂ３…が保持されている。これらバーコードは、バーコードシート４０に直接印字したり、バーコードが印字されたシールを貼るなどの方法で、バーコードシート４０に保持される。
【００１７】
図５を参照して、バーコードシート４０を利用してデータを登録する手順を、１組のデータ群の主データおよび副データがいずれも画像である場合を例にして説明する。まず、使用者（ここではプレゼンターとする）がバーコードシート４０を資料載置台１１にセットし、これを撮像部１３で撮影する（ステップＳ１０１）。制御部１７ａは、その画像を取り込み、記憶部１７ｂに保存する（ステップＳ１０２）。次に、プレゼンターは撮像部１３のカメラの撮影光路中に光学フィルタ１３ａを挿入し（ステップＳ１０３）、図３に示すように、今回の１組のデータ群に関連付けさせる１つのバーコード（ここではバーコードＢ１としている）の位置を、ライトペン５０で発光指示する（ステップＳ１０４）。ライトペン５０は、先端を押圧することによってスイッチがＯＮとなり、先端のＬＥＤ等からなる発光部が発光するものが好適に用いられ、発する光はこの場合赤外光である。
【００１８】
次に、ライトペン５０で指示した発光点を撮像部１３によって撮影する（ステップＳ１０５）。制御部１７ａは、その画像を取り込み、さらにその画像を、先ほど保存したバーコードシート４０の画像と照らし合わせて、図３に示すようにライトペン５０の発光点の位置（Ｘ，Ｙ）を計算する（ステップＳ１０６）。次いで、制御部１７ａは、図４に示すように、（Ｘ，Ｙ）を中心として指示したバーコードＢ１の領域［Ｘ０，Ｙ０］の画像データからバーコードＢ１をトリミングし（ステップＳ１０７）、Ｘ方向のコントラストからバーコードＢ１を英数字にコード変換する（ステップＳ１０８）。続いて制御部１７ａは、バーコードＢ１に基づくデータ固有情報を認識する（ステップＳ１０９）。
【００１９】
次に、プレゼンターは光学フィルタ１３ａを撮像部１３のカメラの撮影光路から外し（ステップＳ１１０）、バーコードＢ１と関連付けさせる主画像が印刷された資料（以下、主画像と称する）を資料載置台１１上にセットし（ステップＳ１１１）、主画像を撮像部１３で撮影する（ステップＳ１１２）。制御部１７ａは、認識したバーコードＢ１のデータ固有情報と関連付けて主画像を記憶部１７ｂに登録する（ステップＳ１１３）。
【００２０】
次に、プレゼンターは副画像を登録するか否かを判断する（ステップＳ１１４）。登録しない場合は登録作業がここで終了となるが、この場合は副画像を登録するので、副画像が印刷された資料（以下、副画像と称する）を資料載置台１１上にセットし（ステップＳ１１５）、副画像を撮像部１３で撮影する（ステップＳ１１６）。制御部１７ａは、認識したバーコードＢ１のデータ固有情報と関連付けて副画像を記憶部１７ｂに登録する（ステップＳ１１７）。
【００２１】
なお、上記のように登録するにあたっては、主画像と副画像を判別させるために、登録用の２種類のスイッチを資料載置台１１に設けておき、主画像登録時には主データ登録スイッチを押し、副画像登録時には副データ登録スイッチを押すなどの方式で行えばよい。モニタとスピーカなど２つ以上のサブデータ出力先が設けられいる場合には、出力先の指定も出力先選択スイッチを設けて、このスイッチで指定することができる。また、バーコードシート４０には、各バーコードＢ１，Ｂ２，Ｂ３…の近傍に、プレゼンテーションで用いる順番と、データの内容をイメージさせる簡単なタイトルとを記しておくと、プレゼンテーション用の指示書として有効である。記憶部１７ｂに登録された画像が予めデジタルデータで登録された場合は、その画像を撮像部１３で撮影する必要なく、認識したバーコードＢと関連付けるだけでよい。記憶部１７ｂにないデジタルデータの場合は、関連付けに先立ってパソコン３０から記憶部１７ｂに転送し、ここに登録しておいてから上記手順で関連付けすることができる。
【００２２】
引き続き、１組のデータ群とバーコードとを関連付けして登録する作業を、上記ステップＳ１０４〜ステップＳ１１７を繰り返して行う。なお、音声データを登録する場合には、ステップＳ１０９の後に、音声をマイク１８によって制御部１７ａを経て記憶部１７ｂに登録させ、その音声データをバーコードと関連付けさせる。なお、バーコードシート４０にバーコードが１つだけ設けられている場合には、ライトペン５０でバーコードを指定する必要がないので、図５のステップＳ１０３〜ステップＳ１０８を省略することができる。
【００２３】
Ｂ．プレゼンテーション
次に、本システムによるプレゼンテーションの具体的動作を、図６を参照して説明する。プレゼンターは資料載置台１１に上記バーコードシート４０をセットし、バーコードシート４０を撮像部１３で撮影する（ステップＳ２０１）。制御部１７ａは、その画像を記憶部１７ｂに保存する（ステップＳ２０２）。次に、プレゼンターは撮像部１３のカメラの撮影光路中に光学フィルタ１３ａを挿入し（ステップＳ２０３）、最初に出力する１組のデータ群に関連付けたバーコード（ここではバーコードＢ１とする）をライトペン５０で発光指示する（ステップＳ２０４）。ライトペン５０で指示された発光点を撮像部１３で撮影し（ステップＳ２０５）、先ほど保存したバーコードシート４０の画像データと照らし合わせて、図３に示すようにライトペン５０の光の位置（Ｘ，Ｙ）を計算する（ステップＳ２０６）。制御部１７ａは、図４に示すように（Ｘ，Ｙ）を中心としてバーコードＢ１が設けられた領域［Ｘ０，Ｙ０］の画像データからバーコードＢ１をトリミングし（ステップＳ２０７）、次いでＸ方向のコントラストからバーコードＢ１を英数字にコード変換し（ステップＳ２０８）、バーコードＢ１に基づくデータ固有情報を認識する（ステップＳ２０９）。ここまでは、データ登録時の図５で示したステップＳ１０１〜ステップＳ１０９と同じ動作である。
【００２４】
続いて、制御部１７ａが、バーコードＢ１のデータ固有情報に該当する１組のデータ群を記憶部１７ｂから検索して抽出する（ステップＳ２１０）。１組のデータ群中の主画像および副画像はデータ切替部１４に供給され、主画像は液晶プロジェクタ２０に出力されてスクリーンに投影され、副画像はサブモニタ１５に出力されて表示される（ステップＳ２１１）。以上の動作を、出力すべきデータに応じたバーコードに対して実行することにより、それらバーコードに関連付けされた１組のデータ群の主画像および副画像が、出力先を上記と同様にして順次出力される。
【００２５】
以上のように、上記動作例では、ライトペン５０で発光指示した１つのバーコードを読み取ることにより、スクリーンに投影する主画像に加えて、もう１つの画像すなわち副画像をサブモニタ１５に表示させることができる。ここで、サブモニタ１５に表示させる副画像としては、主画像を説明する説明メモ等が挙げられる。このような表示のさせ方によれば、プレゼンターは、サブモニタ１５に表示される説明メモを見ながらスクリーンの主画像の説明を行うことができるので、プレゼンテーションを円滑に進行させることができる。また、画像切替スイッチを資料載置台１１に設け、この画像切替スイッチを押すことにより、主画像をサブモニタ１５に、副画像を液晶プロジェクタ２０に供給するといったように、画像の出力先を切り替えることができるように構成してもよい。
【００２６】
上記動作例では、副データが画像（副画像）であったが、副データを音声とした場合には、液晶プロジェクタ２０からスクリーンに投影される主画像に関連する音声がスピーカ１９に供給されて発生する。また、その音声を、サブモニタ１５に接続したイヤフォン１６から発生させることもできる。
【００２７】
上記実施形態では、ライトペン５０で指定したバーコードに応じたデータを出力させるものであり、したがって、バーコードシート４０に設けるバーコードの位置には制限がない。一方、このようにライトペン５０でバーコードを指定することなく、バーコードシート４０の特定位置に１つのバーコードを設け、このバーコードを撮像部１３で撮影するか、あるいは、図２に示すバーコードリーダー６０で読み取るようにしてもよい。その場合、図７に示すように、バーコードシート４０の一角を突き当てて位置決めをなすガイド７０を資料載置台１１に設け、このガイド７０にバーコードシート４０を突き当てることにより、同図のＢで示すバーコードを読み取り可能な特定位置に配置するようにするとよい。なお、この場合の構成は、図８に示すように、ライトペン５０は除かれる。
【００２８】
次に、図９は、パソコン３０が連続投影用ソフト３０Ａを備えている場合を示している。この場合は、パソコン３０内のページ情報コード発生部３０ｃから連続投影用ソフト３０Ａに対して指示し得る有効なコマンドはページの送り／戻しだけ等のように制約される場合が多い。このため、本実施形態では、ページ情報コード発生部３０ｃはパソコン３０内の連続投影用ソフト３０Ａが有効に受信可能なページ送り指示を、送るページ数の分だけ繰り返して供給したり、ページ戻し指示を戻すページ数に対応する回数だけ繰り返して供給する機能を有する。
【００２９】
この構成では、例えば図７に示したように、バーコードＢを特定位置に配する方法によって、ページの送り／戻しを行うことができる。その動作例を図１０を参照して説明すると、まず、ステップＳ３０１で、ガイド７０に突き当てたバーコードシート４０に設けられたバーコードを撮像部１３で撮影する。次のステップＳ３０２でバーコードＢが設けられた領域にある画像データからバーコードＢを認識し、ステップＳ３０３でＸ方向のコントラストからバーコードＢを読み取る。次に、ステップＳ３０４でバーコードＢに基づくデータ固有情報を認識し、ステップＳ３０５でバーコードＢに応じたページ情報コードを連続投影用ソフト３０Ａに供給する。これによって、そのコードに応じた画像が液晶プロジェクタ２０から投影される。
【００３０】
また、データ固有情報はバーコード以外の情報からも取得することができ、例えばバーコードの代わりに文字や記号等でもよい。また、このようなデータ固有情報は、カード等に設けてもよい。さらに、データ固有情報としては、バーコード等のように視覚的に認識されるものではなく、ＲＦＩＤ等の電波信号を用いることができ、その場合には、資料載置台に電波信号のセンサが設けられる。
【図面の簡単な説明】
【００３１】
【図１】本発明の実施形態に係る資料提示装置が適用されたプレゼンテーションシステムの概略を示すブロック図である。
【図２】実施形態のシステムの概略を示す斜視図である。
【図３】バーコードをデータ固有情報として登録させるためにバーコードシートのバーコードをライトペンで指示している状態を示す図である。
【図４】バーコードシートのバーコードの読み取り方法を説明する図である。
【図５】実施形態のデータ登録動作の例を示すフローチャートである。
【図６】実施形態のデータ出力動作の例を示すフローチャートである。
【図７】バーコードシートをガイドに突き当ててバーコードを特定位置に配した状態を示す図である。
【図８】バーコードを特定位置に配する場合のシステムの概略を示すブロック図である。
【図９】連続投影用ソフトおよびページ情報コード発生部を備えた場合のシステムの概略を示すブロック図である。
【図１０】ページ送り／戻し動作の例を示すフローチャートである。
【符号の説明】
【００３２】
１０…資料提示装置
１１…資料載置台
１３…撮像部（読取手段）
１３ａ…光学フィルタ
１４…データ切替部（画像出力部）
１５…サブモニタ（他の画像表示装置、データ出力手段）
１７ａ…制御部
１７ｂ…記憶部（登録部）
１８…マイク（音声入力手段）
１９…スピーカ（データ出力手段、音声発生手段）
２０…液晶プロジェクタ（画像表示装置、データ出力手段）
３０…パソコン
５０…ライトペン（発光手段）
６０…バーコードリーダー（読取手段）
７０…ガイド（位置決め手段）
Ｂ，Ｂ１〜Ｂ６…バーコード（データ固有情報）
【図１】
2005167784.tif 000003
【図２】
2005167784.tif 000004
【図３】
2005167784.tif 000005
【図４】
2005167784.tif 000006
【図５】
2005167784.tif 000007
【図６】
2005167784.tif 000008
【図７】
2005167784.tif 000009
【図８】
2005167784.tif 000010
【図９】
2005167784.tif 000011
【図１０】
2005167784.tif 000012